(57)【要約】【課題】  居室親機が携帯電話等の外部の通信端末からメールを受信したら直接返信でき、且つ簡易な操作で返信できるインターホンシステムを提供する。【解決手段】  居室親機２はインターネット網に接続するためのインターネット通信回路２４、メモリ回路１６に複数の返信文を記憶する返信文記憶部、返信文を選択する選択ボタン２２を設けた。親機制御部２３は、携帯電話からの電子メールを受信したら、受信した電子メールを居室親機２のモニタ１９に表示させ、居住者により返信文選択操作が成されて所定の返信操作が成されたら、カメラ２０を起動して操作者を撮像し、撮像した画像を選択された定型文に添付して返信させる。【選択図】  図２
2009033662.tif 000002
【特許請求の範囲】
【請求項１】
居住者を呼び出すための玄関子機と、前記玄関子機からの呼出に応答するための居室親機とを有するインターホンシステムにおいて、
前記居室親機は、インターネット網に接続するためのインターネット通信回路と、外部の通信端末と電子メールの送受信を実施するメール送受信制御部と、複数の返信文を記憶する返信文記憶部と、返信文を選択する選択手段と、前記通信端末へ返信する返信操作部とを備え、
前記メール送受信制御部は、前記通信端末から電子メールを受信したら受信した電子メールの内容を前記居室親機のモニタに表示させ、前記選択手段で選択した定型文を前記返信操作部の操作を受けて返信することを特徴とするインターホンシステム。
【請求項２】
居住者を呼び出すための玄関子機と、前記玄関子機からの呼出に応答するための居室親機とを有するインターホンシステムにおいて、
前記居室親機は、インターネット網に接続するためのインターネット通信回路と、外部の通信端末と電子メールの送受信を実施するメール送受信制御部と、前記通信端末へ返信する返信操作部と、音声を文字に変換する音声／文字変換手段と、所定の操作を受けてマイク、及び前記音声／文字変換手段を能動とし、入力された音声から返信文を生成するメール作成制御部を備え、
前記メール送受信制御部は、前記通信端末から電子メールを受信したら、受信した電子メールの内容を前記居室親機のモニタに表示させ、前記音声／文字変換手段とメール作成制御部とで作成した返信文を前記返信操作部の操作を受けて返信することを特徴とするインターホンシステム。
【請求項３】
前記居室親機は、送信者アドレスとメール受信を通知する通知音を関連付けて記憶した通知音記憶部を有し、
前記メール送受信制御部は、受信メールに具備されている送信者アドレスに関連付けられた通知音を前記通知音記憶部から読み出して報音することを特徴とする請求項１又は２記載のインターホンシステム。
【請求項４】
前記居室親機は、文字情報を音声変換する文字／音声変換手段を有し、
前記メール送受信制御部は、受信した電子メールの受信文を音声変換して親機スピーカからアナウンスさせることを特徴とする請求項１乃至３の何れかに記載のインターホンシステム。
【請求項５】
前記居室親機は返信者識別手段を有し、前記メール送受信制御部は、前記返信者識別手段が操作者を識別したら前記返信操作部の操作を能動とすると共に、識別情報を前記返信文に添付して返信することを特徴とする請求項１乃至４の何れかに記載のインターホンシステム。
【請求項６】
前記返信者識別手段が記居室親機に設けたカメラであり、前記メール送受信制御部は、前記カメラが撮像した画像を返信メールに添付して返信することを特徴とする請求項１乃至５の何れかに記載のインターホンシステム。
【請求項７】
前記居室親機は送信者アドレス記憶部を有し、前記メール送受信制御部は、前記送信者アドレス記憶部に無いアドレスからのメールは受信処理せず削除することを特徴とする請求項１乃至６の何れかに記載のインターホンシステム。
【発明の詳細な説明】
【技術分野】
【０００１】
本発明はインターホンシステムに関し、特に携帯電話等の外部の通信端末から電子メールの受信が可能な居室親機を備えたインターホンシステムに関する。
【背景技術】
【０００２】
インターネット網に接続されて携帯電話からの電子メールを受信できるインターホンシステムがある。例えば特許文献１に記載された集合住宅用インターホンシステムでは、携帯電話から電子メールに添付されて送られてきた画像データを制御機に保存し、居室親機の操作により、取り出してメールの内容を確認できるよう構成されている。
【特許文献１】特開２００３−３２４５３４号公報
【発明の開示】
【発明が解決しようとする課題】
【０００３】
しかしながら、上記特許文献１に示すインターホンシステムにおいては、携帯電話から電子メールを受信することはできるが、確認したことを携帯電話側に返信することができなかった。そのため、返信するには別途パーソナルコンピュータを立ち上げたり、携帯電話を使用して返信メールを送付することになり、面倒であった。また、携帯電話等を用いて返信する操作は、画面も操作ボタンも小さく難しい操作であるため、高齢者の方には簡易的な操作で返信できるシステムが望まれていた。
そこで、本発明はこのような問題点に鑑み、居室親機が携帯電話等の外部の通信端末からメールを受信したら直接返信でき、且つ簡易な操作で返信できるインターホンシステムを提供することを目的とする。
【課題を解決するための手段】
【０００４】
上記課題を解決する為に、請求項１に記載の発明は、居住者を呼び出すための玄関子機と、玄関子機からの呼出に応答するための居室親機とを有するインターホンシステムにおいて、居室親機は、インターネット網に接続するためのインターネット通信回路と、外部の通信端末と電子メールの送受信を実施するメール送受信制御部と、複数の返信文を記憶する返信文記憶部と、返信文を選択する選択手段と、通信端末へ返信する返信操作部とを備え、メール送受信制御部は、通信端末から電子メールを受信したら受信した電子メールの内容を居室親機のモニタに表示させ、選択手段で選択した定型文を返信操作部の操作を受けて返信することを特徴とする。
この構成によれば、携帯電話等から送信された電子メールに対して、居室親機から直接返信できる。而も、返信する内容は、予め作成されている定型文を選択するだけで済み、いちいちメールの文章を作成する手間がかからない。よって、携帯電話を使用して返信することなく、高齢者であっても簡易な操作で返信できる。
【０００５】
請求項２の発明は、居住者を呼び出すための玄関子機と、玄関子機からの呼出に応答するための居室親機とを有するインターホンシステムにおいて、居室親機は、インターネット網に接続するためのインターネット通信回路と、外部の通信端末と電子メールの送受信を実施するメール送受信制御部と、通信端末へ返信する返信操作部と、音声を文字に変換する音声／文字変換手段と、所定の操作を受けてマイク、及び音声／文字変換手段を能動とし、入力された音声から返信文を生成するメール作成制御部を備え、メール送受信制御部は、通信端末から電子メールを受信したら、受信した電子メールの内容を居室親機のモニタに表示させ、音声／文字変換手段とメール作成制御部とで作成した返信文を返信操作部の操作を受けて返信することを特徴とする。
この構成によれば、携帯電話等から送信された電子メールに対して、居室親機から直接返信できる。而も、返信するメールの内容を音声で作成できるので、面倒な文字入力をすること無く所望の文章を返信することができる。よって、携帯電話を使用して返信することなく、高齢者であっても簡易な操作で返信できる。
【０００６】
請求項３の発明は、請求項１又は２に記載の発明において、居室親機は、送信者アドレスとメール受信を通知する通知音を関連付けて記憶した通知音記憶部を有し、メール送受信制御部は、受信メールに具備されている送信者アドレスに関連付けられた通知音を通知音記憶部から読み出して報音することを特徴とする。
この構成によれば、電子メールの送信者に応じて通知音を変えることができ、通知音で誰からのメールであるかを認識できる。
【０００７】
請求項４の発明は、請求項１乃至３の何れかに記載の発明において、居室親機は、文字情報を音声変換する文字／音声変換手段を有し、メール送受信制御部は、受信した電子メールの受信文を音声変換して親機スピーカからアナウンスさせることを特徴とする。
この構成によれば、視力の衰えた居住者であっても、メールの内容を容易に認識でき便利である。
【０００８】
請求項５の発明は、請求項１乃至４の何れかに記載の発明において、居室親機は返信者識別手段を有し、メール送受信制御部は、返信者識別手段が操作者を識別したら返信操作部の操作を能動とすると共に、識別情報を返信文に添付して返信することを特徴とする。
この構成によれば、個人識別を実施することにより、返信した人物の情報を付加して返信されるので、居室親機から返信しても誰が確認したか通信端末で把握することができ、メール送信者は安心できる。
【０００９】
請求項６の発明は、請求項１乃至５の何れかに記載の発明において、返信者識別手段が記居室親機に設けたカメラであり、メール送受信制御部は、カメラが撮像した画像を返信メールに添付して返信することを特徴とする。
この構成によれば、返信時に、居室親機側のカメラで撮像した返信者の映像を合わせて返信することにより、居室親機から返信しても誰が返信したかを通信端末で把握でき、メール送信者は安心できる。
【００１０】
請求項７の発明は、請求項１乃至６の何れかに記載の発明において、居室親機は送信者アドレス記憶部を有し、メール送受信制御部は、送信者アドレス記憶部に無いアドレスからのメールは受信処理せず削除することを特徴とする。
この構成によれば、特定のメール以外は受信しないので迷惑メールを受信することがない。
【発明の効果】
【００１１】
本発明によれば、携帯電話等の通信端末から送信された電子メールに対して、居室親機から直接返信でき、しかも定型文を返信するか音声入力により作成したメールを返信するかの簡易な操作で返信操作ができる。よって、携帯電話を使用して返信することなく、高齢者であっても簡易な操作で返信できる。
【発明を実施するための最良の形態】
【００１２】
以下、本発明を具体化した実施の形態を、図面に基づいて詳細に説明する。図１は本発明に係るインターホンシステムの第１の実施形態を示す構成図であり、１は居住者を呼び出すために玄関に設置される玄関子機、２は呼び出しに応答するために居室内に設置される居室親機、３は居住者等が携行する外部の通信端末としての携帯電話、４はインターネット網を示している。また、５はインターネット網４に接続されたプロバイダ等のサーバ、６はルータ、７はモデムであり、居室親機２はこのルータ６、モデム７を介してインターネット網４に接続されている。
尚、９は各種設定用のパーソナルコンピュータ（以下、設定用ＰＣとする）である。
【００１３】
図２は居室親機２の回路ブロック図を示している。この図に示すように、居室親機２は、マイク１１、スピーカ１２を備えた通話回路１３、音声や映像信号をデジタル変換するＡ／Ｄ変換回路１４、伝送されてきたデジタル信号をアナログ変換するＤ／Ａ変換回路１５、各種設定やメールアドレス、更には受信メールや画像等を記憶するメモリ回路１６、玄関子機１からの呼び出しに応答するための応答ボタン１７、電源回路１８、映像や受信した電子メールを表示するモニタ１９、操作する居住者を撮像するカメラ２０、モニタ１９に出画する映像を制御する映像回路２１、返信メールを選択するための選択ボタン２２、居室親機２を制御するＣＰＵを備えた親機制御部２３、インターネット通信回路２４、玄関子機１と通信する親機インターフェース（親機ＩＦ）２５等を備えている。
【００１４】
尚、メモリ回路１６には電子メールを受け付けるアドレスを記憶する送信者アドレス記憶部、複数の返信文を記憶する返信文記憶部、アドレス毎に設定された通知音を記憶する通知音記憶部が設けられている。何れの設定も、設定用ＰＣ９で予め作成されて記憶されるものであり、居室親機２等で適宜追加、変更することも可能となっている。
また、通知音記憶部は、メロディ音を記憶させてもよいが、直接「○○からメールです」と音声入力して記憶させても良く、こうすれば送信者名を直接報音するので更に分かり易くなる。
【００１５】
このように構成されたインターホンシステムについて、以下動作を説明する。但し、玄関子機１から居室親機２を呼び出して来訪者と居住者の間で通話する基本動作の説明は従来と同様であるため省略し、電子メールの送受信動作を図３のフローチャートに基づいて説明する。携帯電話３を携行する外出中の居住者等が、携帯電話３により送信文を作成し、居室親機２に作成したメールを送信（Ｓ１）する。電子メールは、インターネット網４、モデム７、ルータ６を介して居室親機２に送信される。尚、この電子メールには、画像データを添付しても良い。
【００１６】
居室親機２ではインターネット通信回路２４を介して親機制御部２３で受信され、受信したメールのヘッダに含まれる送信者アドレスを参照して許可されているアドレスから送信されているかを確認する（Ｓ２）。許可されていなければ受信されたメールは削除される。許可されていれば、スピーカ１２からメールを受信したことを通知音で知らせ、モニタ１９にメール内容を表示する（Ｓ３）。このとき、図１のＭ１に示すような電子メールが受信メールとしてモニタ１９に表示される。そして、このときの通知音は、送信者アドレスに関連付けられた特定の通知音となっている。
【００１７】
このメール内容を確認した居住者が、返信時に選択ボタン２２を操作することにより図４に示すような選択画面がモニタ１９に表示される。その中から返信文が選択されて返信メールが作成される。返信は、例えば、応答ボタン１７を長押しするなどの操作を行うことで返信（Ｓ４）がなされる。返信操作により、居室親機２に設けられた返信者識別手段としてのカメラ２０が起動して操作者を撮像し（Ｓ５）、その画像データが返信文に添付される（Ｓ６）。
こうして作成された返信メールは、ルータ６、モデム７、インターネット網４を介してサーバ５に保存され、携帯電話３によりメール受信操作が成されたら、サーバ５に保存されたメールが送信され、確認がなされたことを知ることができる（Ｓ７）。このとき図１のＭ２に示すような電子メールが返信メールとして携帯電話３の表示部に表示される。
【００１８】
このように、携帯電話等の通信端末から送信された電子メールに対して、居室親機から直接返信でき、しかも定型文を返信する簡易な操作で返信操作ができる。よって、携帯電話を使用して返信することなく、高齢者であっても容易に返信操作できる。
また、電子メールの送信者に応じて通知音を変えることで、通知音で誰からのメールであるかを認識できるし、返信時に居室親機側のカメラで撮像した返信者の映像を合わせて返信することにより、居室親機から返信しても誰が返信したかを通信端末で把握でき、
メール送信者は安心できる。
また、返信する内容は、予め作成されている定型文を選択するだけで済み、いちいちメールの文章を作成する手間がかからないし、特定のメール以外は受信しないので迷惑メールを受信することがない。
【００１９】
図５は、上記インターホンシステムの変更例を示す居室親機２のブロック図であり、返信者識別手段が上記図２の居室親機２とは異なり、カメラではなくＲＦＩＤ受信装置２７が備えられている。但し、この場合、居住者はＲＦＩＤタグを内蔵したＩＤカードを携行しているものとする。
携帯電話３から電子メールの受信を受けて居室親機２で返信する際に、返信操作する前の返信文作成時、又は返信操作と同時にＲＦＩＤ受信装置２７が起動し、翳されたＩＤカードから発信されるＩＤ信号を読み取る。親機制御部２３は、この信号から返信者（操作者）を識別し、識別された返信者情報をメールに添付することで、誰が確認したのかを携帯電話側で確認することができる。
【００２０】
このように、操作したときに居住者が携行するＲＦＩＤタグのＩＤ情報により返信者を特定でき、返信メールを受信した携帯電話側で、誰が返信したか知ることができる。
【００２１】
尚、返信者識別装置は、他に指紋照合装置を使用して識別しても良い。また、居室親機２に文字情報を音声に変換する文字／音声変換回路を設けて、受信メールの表示に合わせて、音声により読み出してスピーカ１２から報音させても良く、視力の衰えた居住者であっても、メールの内容を容易に認識でき便利である。この場合、文字／音声変換回路としては、例えば特開２００１−３５０４９０号公報の技術が適用できる。
また、上記実施形態において以下のように行ってもよい。まず、携帯端末３から送信されるメールはサーバ５に保存し、居室親機２がサーバ５に定期的にアクセスして受信するようにしてもよい。このような構成であれば、画像が添付されたサイズの大きいメールでも対応しやすい。
【００２２】
次に、本発明に係るインターホンシステムの第２の実施形態を説明する。図６は居室親機の回路ブロック図を示し、上記図２の居室親機２とは選択ボタンを設けずに音声／文字変換回路２８を設けた点が異なっている。また、メモリ回路１６に上述したような返信文記憶部は無い。
以下、この居室親機を備えたインターホンシステムの動作を説明する。但し、居室親機２の他の回路構成は上記図２と同様であるため同一の符号を付与して説明を省略する。更に、インターホンシステム全体の構成も上記図１と同様であるため説明を省略し、電子メールの送受信動作を説明する。
【００２３】
携帯電話３から発信された電子メールは、インターネット網４、モデム７、ルータ６を介して居室親機２に送信される。居室親機２はインターネット通信回路２４を介して親機制御部２３で電子メールが受信され、受信したメールのヘッダに含まれる送信者アドレスを参照して許可されているアドレスから送信されているかが確認され、許可されていなければ受信されたメールは削除される。許可されていれば、スピーカ１２からメールを受信したことを通知音で知らせ、モニタ１９にメール内容が表示される。そして、このときの通知音は、送信者アドレスに関連付けられた特定の通知音で報音される。
【００２４】
このメール内容を確認した居住者により居室親機２が所定の操作を受け、返信文作成モードに移行すると、マイク１１及び音声／文字変換回路２８が能動となり、音声入力が可能となる。こうして入力された音声が、親機制御部２３の制御により文書データに変換される。変換された文字情報はモニタ１９に表示され、操作者に確認された後返信操作されることで、上記第１の実施形態と同様にカメラ２０で撮像された操作者画像が添付されて返信される。尚、ここで使用される音声／文字変換回路２８は、例えば特開平１１−３５２９８８号公報の技術が適用できる。
【００２５】
このように、返信するメールの内容を音声入力で作成できるので、面倒な文字入力をすること無く所望の文章を返信することが可能となる。よって、高齢者であっても容易にメール文章を作成できる。
【００２６】
尚、音声入力により返信文を作成するこの第２の実施形態においても、文字／音声変換回路を設けて受信メール内容をアナウンスさせても良い。
また上記実施形態は、何れも戸建用のインターホンシステムを構成する居室親機２と携帯電話３の間の電子メールの送受信を説明したが、居室親機２によるメールの送受信を可能とすることで居室親機同士の電子メールの送受信も可能となるため、このメール機能を利用して地域住民と連携をとり、回覧板等の代替として利用しても良い。また、集合住宅のインターホンシステムにこのメール機能を加えたシステムを構築することも容易に実施できる。
【図面の簡単な説明】
【００２７】
【図１】本発明に係るインターホンシステムの第１の実施形態を示す構成図である。
【図２】図１の居室親機の回路ブロック図である。
【図３】図１のメール送受信動作の流れを示すフローチャートである。
【図４】返信メール選択画面を示す説明図である。
【図５】図１のインターホンシステムの変更例を示す居室親機の回路ブロック図である。
【図６】本発明に係るインターホンシステムの第２の実施形態を示す居室親機の回路ブロック図である。
【符号の説明】
【００２８】
１・・玄関子機、２・・居室親機、３・・携帯電話（通信端末）、４・・インターネット網、１６・・メモリ回路（返信文記憶部、通知音記憶部、送信者アドレス記憶部）、１７・・応答ボタン（返信操作部）、１９・・モニタ、２０・・カメラ（返信者識別手段）、２２・・選択ボタン（選択手段）、２３・・親機制御部（メール送受信制御部、メール作成制御部）、２４・・インターネット通信回路、２７・・ＲＦＩＤ受信装置（返信者識別手段）、２８・・音声／文字変換回路。
【図１】
2009033662.tif 000003
【図２】
2009033662.tif 000004
【図３】
2009033662.tif 000005
【図４】
2009033662.tif 000006
【図５】
2009033662.tif 000007
【図６】
2009033662.tif 000008